(57)【特許請求の範囲】
【請求項１】
ディスクドライブ装置のターンテーブルに粘着一体化するための粘着層と、ディスクに密着対向してディスクのすべりを防止するグリップ層とを少なくとも備える積層構造のディスクストッパーであって、
ターンテーブルにもディスクにも対向しないディスクストッパー側面に粘着層が露出しないように、粘着層の側縁部が粘着層以外の第２の層で覆われており、
前記第２の層がグリップ層であるディスクストッパー。
【請求項２】
ディスクドライブ装置のターンテーブルに粘着一体化するための粘着層と、ディスクに密着対向してディスクのすべりを防止するグリップ層とを少なくとも備える積層構造のディスクストッパーであって、
ターンテーブルにもディスクにも対向しないディスクストッパー側面に粘着層が露出しないように、粘着層の側縁部が粘着層以外の第２の層で覆われており、
ディスクストッパーは、粘着層とグリップ層の間にさらに補強層を有しており、
前記第２の層が補強層であるディスクストッパー。
【請求項３】
ディスクドライブ装置のターンテーブルに粘着一体化するための粘着層と、ディスクに密着対向してディスクのすべりを防止するグリップ層とを少なくとも備える積層構造のディスクストッパーであって、ターンテーブルにもディスクにも対向しないディスクストッパー側面に粘着層が露出しないように、粘着層の側縁部が粘着層以外の第２の層で覆われたディスクストッパーを製造する方法であって、
離型性の基材を準備する第１工程と、
液状またはペースト状とした粘着層の材料を、前記基材の表面に、粘着層の平面形状に塗布して、粘着層を形成する第２工程と、
第２工程に引き続き、形成された粘着層の平面形状よりも大きな透孔パターンを有するスクリーンマスクを用いて、第２の層を形成する液状またはペースト状の材料によってスクリーン印刷を行い、第２の層を形成すると共に、ディスクストッパー側面に粘着層が露出しないように、粘着層の側縁部を第２の層で覆う第３工程と、
を含むディスクストッパーの製造方法。
【発明の詳細な説明】
【技術分野】
【０００１】
本発明は、ディスクドライブ装置に用いられるディスクストッパー、特にディスクドライブ装置のターンテーブルに設けられるディスクストッパーに関するものである。
【背景技術】
【０００２】
コンピュータや家電製品などに使用され、ディスクメディアが交換可能なディスクドライブ装置（以下単に「ディスク装置」と記載する）としては、ＣＤやＤＶＤ，ブルーレイディスクなどのディスクメディアを読み書き可能なディスク装置が知られている。これらディスク装置においては、ディスクメディアは、ディスク装置のターンテーブルに把持されて、高速回転して使用に供される。そして、ターンテーブルとディスクメディアとの相対回転（スリップ）を防止するために、ターンテーブルには、ディスクストッパーと呼ばれる摩擦部材が設けられる。ディスクストッパーは、ターンテーブルとディスクメディアの間に挟まれるような位置に設けられる。
【０００３】
ディスクストッパーは、ゴムなどの摩擦材料によりリング状に形成されて、ターンテーブルに貼着一体化されることが多い。そのようなディスクストッパーとしては、例えば、特許文献１に開示されたようなものが知られている。
特許文献１には、片面にプライマー層および粘着層を順次有する熱可塑性エラストマーシートをディスクストッパー用シートとすることが開示されており、当該ディスクストッパー用シートを打ち抜き加工してディスクストッパーを製造することが開示されている。
【先行技術文献】
【特許文献】
【０００４】
【特許文献１】特開２００３−０８２１３６号公報
【発明の概要】
【発明が解決しようとする課題】
【０００５】
特許文献１に開示されたような従来技術のディスクストッパーでは、打ち抜き加工により製造していることもあり、ディスクストッパーの側面に、粘着層の側面が露出している。そのため、露出した粘着層側面部に、ごみやほこりといった異物がくっついてしまうおそれがある。ディスク装置の正確な書き取りや読み取りのため、ターンテーブルがディスクメディアを把持する部分には高精度が求められるが、ディスクストッパー周辺に異物が付着してしまうと、ディスクメディアの把持精度が低下し、ディスク装置の動作に悪影響を及ぼすおそれがある。
【０００６】
本発明の目的は、ディスクストッパー側面への異物の付着を防止できるディスクストッパーを提供することにある。
【課題を解決するための手段】
【０００７】
発明者は、鋭意検討の結果、ディスクストッパーの側面への粘着層の露出を防止すると、上記課題が解決できることを知見し、本発明を完成させた。
【０００８】
本発明は、ディスクドライブ装置のターンテーブルに粘着一体化するための粘着層と、ディスクに密着対向してディスクのすべりを防止するグリップ層とを少なくとも備える積層構造のディスクストッパーであって、ターンテーブルにもディスクにも対向しないディスクストッパー側面に粘着層が露出しないように、粘着層の側縁部が粘着層以外の第２の層で覆われており、前記第２の層がグリップ層であるディスクストッパーである（第１発明）。
【０００９】
また、本発明は、ディスクドライブ装置のターンテーブルに粘着一体化するための粘着層と、ディスクに密着対向してディスクのすべりを防止するグリップ層とを少なくとも備える積層構造のディスクストッパーであって、ターンテーブルにもディスクにも対向しないディスクストッパー側面に粘着層が露出しないように、粘着層の側縁部が粘着層以外の第２の層で覆われており、ディスクストッパーは、粘着層とグリップ層の間にさらに補強層を有しており、前記第２の層が補強層であるディスクストッパーである（第２発明）。
【００１０】
また、本発明は、ディスクドライブ装置のターンテーブルに粘着一体化するための粘着層と、ディスクに密着対向してディスクのすべりを防止するグリップ層とを少なくとも備える積層構造のディスクストッパーであって、ターンテーブルにもディスクにも対向しないディスクストッパー側面に粘着層が露出しないように、粘着層の側縁部が粘着層以外の第２の層で覆われたディスクストッパーを製造する方法であって、離型性の基材を準備する第１工程と、液状またはペースト状とした粘着層の材料を、前記基材の表面に、粘着層の平面形状に塗布して、粘着層を形成する第２工程と、第２工程に引き続き、形成された粘着層の平面形状よりも大きな透孔パターンを有するスクリーンマスクを用いて、第２の層を形成する液状またはペースト状の材料によってスクリーン印刷を行い、第２の層を形成すると共に、ディスクストッパー側面に粘着層が露出しないように、粘着層の側縁部を第２の層で覆う第３工程と、を含むディスクストッパーの製造方法である（第３発明）。
【発明の効果】
【００１１】
本発明のディスクストッパー（第１発明、第２発明）によれば、ディスクストッパーの側面に粘着層が露出しないようになっているので、ターンテーブルに貼着されたディスクストッパーの周囲にごみやほこりなどの異物が付着することを防止あるいは抑制できる。そして本発明のディスクストッパー製造方法（第３発明）によれば、そのようなディスクストッパーを効率的に製造できる。
【図面の簡単な説明】
【００１２】
【図１】本発明の第１実施形態のディスクストッパーの正面図及び断面図である。
【図２】本発明のディスクストッパーの使用形態を示す模式図である。
【図３】本発明の第１実施形態のディスクストッパーの製造工程を段階的に示す模式断面図である。
【図４】本発明の第２実施形態のディスクストッパーの正面図及び断面図である。
【図５】本発明の第３実施形態のディスクストッパーの使用形態を示す模式図である。
【発明を実施するための形態】
【００１３】
以下図面を参照しながら、本発明の実施形態について具体的に説明する。なお本発明は以下に示す個別の実施形態に限定されるものではなく、その形態を変更して実施することもできる。
【００１４】
図１には、本発明の第１実施形態のディスクストッパーの正面図及び断面図を示す。ディスクストッパー１は、平板状のリング形状に形成された部材である。図２に示すように、本発明のディスクストッパー１は、ディスク装置（ＣＤ、ＤＶＤ、ブルーレイなどの交換可能なディスクメディアＤに対し電子情報の読み書きを行う装置）のターンテーブルＴに貼り付けられて使用される。なお、図２では、ターンテーブルＴが有する保持機構などの詳細な構造は省略している。
【００１５】
本実施形態のディスクストッパー１は、粘着層１１とグリップ層１２とを有する積層構造のリング状部材である。粘着層１１は、ディスク装置のターンテーブルＴと貼り付けるための層であり、粘着剤によってリング状に設けられている。グリップ層１２は、ディスク装置の使用時に、ディスクメディアＤがターンテーブルＴに取り付けられる際に、ディスクメディアＤと直接対向し、密着する層であり、グリップ層１２とディスクメディアＤとの間の摩擦によって、ディスクメディアＤがターンテーブルＴに対しスリップすることが防止される。グリップ層１２もまた、リング状に形成されている。本実施形態においては、粘着層１１とグリップ層１２とによってディスクストッパー１が構成されている。
【００１６】
粘着層１１を構成する粘着剤は、ディスクストッパー１をターンテーブルＴに貼着一体化できる限りにおいて、多様な粘着剤が使用できる。特に好ましくは、天然ゴムやシリコーンゴムといった低硬度のゴム系の粘着剤や、アクリル系粘着剤、ウレタン系粘着剤などが使用できる。
【００１７】
グリップ層１２を構成する材料は、エチレンプロピレンジエンゴムやシリコーンゴムをはじめとする加硫ゴムが好ましく使用される。ゴムとしては、そのほか、天然ゴム、アクリロニトリルブタジエンゴム、クロロプレンゴム、ブチルゴム、エチレンプロピレンゴム、およびウレタンゴム（特にシリル化ウレタンゴム）等の任意のゴムを使用することができ、複数種類のゴムを混合して使用することもできる。
【００１８】
本実施形態においては、粘着剤層１１は硬度２０度程度のシリコーンゴムにより、グリップ層１２は硬度５５程度のシリコーンゴムにより形成され、両者は架橋一体化されている。
【００１９】
図１の断面図に示したように、リング状の粘着層１１の内周側側縁部１１ａと外周側側縁部１１ｂの上面と側面を覆うように、グリップ層１２が設けられている。即ち、グリップ層１２は、粘着層１１の平面形状よりも大きな平面形状を有しており、グリップ層１２の外周縁は粘着層１１の外周縁よりも大きな円に、グリップ層１２の内周縁は粘着層１１の内周縁よりも小さな円に形成されている。そして、ディスクストッパー１の内周側側面１ａや外周側側面１ｂには、グリップ層１２のみが露出し、粘着層１１の内周側側縁部１１ａと外周側側縁部１１ｂは露出しない。なお、ディスクストッパー１の側面（１ａ，１ｂ）とは、リング状のディスクストッパー１の外面のうち、ディスク装置が使用される際にターンテーブルＴにもディスクメディアＤにも対向しない面である。
【００２０】
また、リング状の粘着層１１の内周側側縁部１１ａと外周側側縁部１１ｂが、グリップ層１２によって覆われる結果、ディスクストッパー１がターンテーブルＴに当接する側の面（下面）では、粘着層の表面と、グリップ層の一部とが、実質的に同一平面上に連続して現れている。
【００２１】
図３を参照しながら、本発明のディスクストッパーの製造方法を説明する。
まず最初に、離型性を有する基材Ｐを準備する（第１工程）。基材Ｐの上で、粘着層１１とグリップ層１２が順次積層形成されてディスクストッパー１となり、その後、基材Ｐからディスクストッパー１を剥離してターンテーブルＴに貼り付けて使用する。基材Ｐとしては、粘着層の剥離が可能なように、その表面に離型性が付与されたシート状の材料が使用される。基材Ｐとしては、離型性処理をしたＰＥＴフィルムや、離型剤をコーティングした紙などが好ましく使用される。
【００２２】
次に、基材Ｐ上に、粘着層１１を形成する（第２工程）。粘着層の形成に当たっては、適度な粘度となるように調製した液状あるいはペースト状の粘着層の材料を準備し、その材料を粘着層の平面形状と同一形状で基材Ｐに塗布することによって、基材Ｐ上に粘着層１１を直接形成する。液状またはペースト状の材料の塗布は、スクリーン印刷や、メタルマスク版を用いた印刷、凸版印刷、インクジェット印刷、スプレー、ディスペンサー、筆などの手段によることができる。
【００２３】
図３（ａ）には、上記第１実施形態に対応して、基材Ｐ上に、粘着層１１の平面形状と合致するリング状の透孔を有するスクリーンマスクＭ１を用いて、スキージＳにより未架橋シリコーンゴムペースト（シリコーン系粘着剤となる材料）をスクリーン印刷する工程を示している。スクリーン印刷が完了した後に、図３（ｂ）に示すように、スクリーンマスクＭ１を取り外すと、基材Ｐ上に粘着層の予備成形体Ｌ１が形成された状態となる。
【００２４】
基材Ｐ上に粘着層の予備成形体Ｌ１が形成された後、必要に応じて、液状またはペースト状材料に含まれていた溶剤や揮発させたり、粘着層予備成形体Ｌ１の予備架橋を行なったりして、粘着層予備成形体Ｌ１の形態を安定させる処理を行っても良い。
【００２５】
引き続き、粘着層予備成形体Ｌ１を覆うようにグリップ層を形成する（第３工程）。本工程は、粘着層（粘着層予備成形体Ｌ１）の平面形状よりも大きなリング状の形状の透孔パターンを有するスクリーンマスク（スクリーン版）Ｍ２を用いて行う。図３（ｃ）に示すように、基材Ｐ上に形成された粘着層予備成形体Ｌ１が、スクリーンマスクＭ２の透孔に入るように、スクリーンマスクを配置し、グリップ層を構成する液状またはペースト状の材料（本実施形態においては、ペースト状の未架橋シリコーンゴム）を、スキージＳによってスクリーン印刷する。グリップ層となる未架橋ゴム材料を溶剤により溶解して、液状またはペースト状の材料として、本工程に供することもできる。
【００２６】
すると、グリップ層１２を構成する材料が透孔部分に充填されて、粘着層予備成形体Ｌ１を覆うように、グリップ層予備成形体Ｌ２が形成される。その後、図３（ｄ）に示すように、スクリーンマスクＭ２を取り外すと、基材Ｐ上に粘着層予備成形体Ｌ１とグリップ層予備成形体Ｌ２が積層状態で残る。この時点で、リング状の粘着層予備成形体Ｌ１の内周縁部分と外周縁部分とを覆うように、グリップ層予備成形体Ｌ２が形成され、粘着層予備成形体Ｌ１は外部に露出しない状態となっている。また、リング状のグリップ層予備成形体Ｌ２の外周縁部と内周縁部では、グリップ層を構成する材料が基材Ｐに直接接触し、粘着層の材料とグリップ層の材料とが基材Ｐに面するように連続して存在するようにされている。
【００２７】
その後、必要に応じ、粘着層予備成形体Ｌ１とグリップ層予備成形体Ｌ２を架橋して硬化させると、粘着層１１とグリップ層１２とが積層一体化された、上記第１実施形態のディスクストッパー１が得られる（図３（ｅ））。ディスクストッパー１は離型性の基材Ｐに貼り付けられた状態で得られ、使用に際しては、図３（ｆ）に示すように、基材Ｐから、ディスクストッパー１をはがして、ターンテーブルに貼着できる。なお、粘着層１１やグリップ層１２に対する架橋は、必要に応じ、公知の方法により行うことができる。架橋を利用して、粘着層１１とグリップ層１２とを強固に一体化することが特に好ましい。なお、使用する材料にもよるが、架橋は必須ではない。
【００２８】
本発明のディスクストッパー１の作用及び効果について説明する。ディスクストッパー１は離型性の基材Ｐからはがして、ターンテーブルＴに貼着一体化されて使用に供されるが、粘着層１１が、ディスクストッパー１の側面１ａ、１ｂに露出しないように、粘着層の側縁部１１ａ、１１ｂがグリップ層１２により覆われている。そのため、ディスク装置が使用される際に、ほこりやごみなどの異物が、粘着層の側縁部１１ａ、１１ｂにくっついてしまうことが防止あるいは抑制される。
【００２９】
また、グリップ層１２により、粘着層の側縁部１１ａ、１１ｂを覆うようにすれば、グリップ層１２と粘着層１１の２層構造という、非常に簡単な構成でディスクストッパー１を構成でき、製造効率及びコスト面でのメリットが大きい。
【００３０】
粘着層の側縁部を覆う層は、必ずしもグリップ層でなければならないわけではなく、ディスクストッパーを構成する他の層であっても良い。例えば、図４に示す本発明の第２実施形態のディスクストッパー２では、粘着層２１の側縁部は、補強層２３により覆われている。第２実施形態においても、同様の異物付着防止効果が得られる。このように、本発明では、積層構造のディスクストッパーを構成する層のうち、粘着層以外の層（第２の層）によって、粘着層の側縁部が覆われていれば、異物付着防止効果が得られる。
【００３１】
また、上記第１実施形態においては、ディスクストッパー１がターンテーブルＴに当接する側の面では、粘着層１１の表面と、グリップ層１２の一部とが、実質的に同一平面上に連続して現れている。かかる構成を備えることにより、粘着層１１の外側の部分に位置するグリップ層１２の一部が、ターンテーブルＴと密着するようになって、グリップ層１２とターンテーブルＴの間に異物が挟まることが未然防止され、異物の付着防止効果が高められる。
【００３２】
また、本発明のディスクストッパー製造方法によれば、離型性基材上に粘着層（予備成形体）を形成し、粘着層を覆うように、第２の層（上記第１実施形態ではグリップ層）を形成し、第２の層の形成を、特定の形態の透孔を有するスクリーンマスクを使用したスクリーン印刷により行うようにしたので、非常に効率的に、本発明のディスクストッパーを製造することができる。
【００３３】
本発明は、上記実施形態に限定されるものではなく、種々の改変をして実施することができる。以下に本発明の他の実施形態について説明するが、以下の説明においては、上記実施形態と異なる部分を中心に説明し、同様である部分についてはその詳細な説明を省略する。また、以下に示す実施形態は、その一部を互いに組み合わせて、あるいは、その一部を置き換えて実施できる。
【００３４】
図４には、本発明第２実施形態のディスクストッパー２の正面図及び断面図を示す。本実施形態における粘着層２１の構成は、第１実施形態と同様である。本実施形態のディスクストッパー２は、粘着層２１、補強層２３、グリップ層２２がこの順番に積層された積層構造を有する。
【００３５】
本実施形態における補強層２３とは、粘着層２１やグリップ層２２よりも比較的硬質な材料（例えばより硬度の高いゴム材料や、樹脂材料）により構成される層である。補強層の存在により、ディスクストッパーを薄型化しながらも、ディスクストッパーの貼着作業時に、ディスクストッパー２がその平板状の形状を維持し、貼着作業の作業効率を高めるのに寄与することができる。
【００３６】
本実施形態においては、補強層２３が、粘着層２１の内周縁２１ａや外周縁２１ｂの部分を覆うように形成されており、ディスクストッパーの側面に粘着層が露出せず、第１実施形態と同様に、ほこりやごみなどの異物が付着することが防止される。
【００３７】
また、本実施形態においては、グリップ層２２は、扇状の平面形状のパターンが放射状に配置された形態とされている。このように、グリップ層の具体的な平面形状は、第１実施形態のようなリング状に限定されるものではなく、ドット状や同心円状、放射状、メッシュ状など、多様なパターンとすることができる。また、本実施形態に示すように、グリップ層は、１つに連続した層である必要はない。
【００３８】
同様に、粘着層についても、上記実施形態の説明ではリング状の平面形状を有するものを中心に説明したが、グリップ層と同様に、その具体的な平面形状は、リング状に限定されるものではなく、ドット状や同心円状、放射状、メッシュ状など、多様なパターンとすることができる。グリップ層と同様に、粘着層もまた、１つに連続した層である必要はない。本発明においては、粘着層が多様なパターンで形成されていても、それらの内周縁や外周縁の部分を覆うように、第２の層（第１実施形態におけるグリップ層や第２実施形態における補強層）が設けられていれば、異物付着防止の効果が発揮される。
【００３９】
また、本発明の第３実施形態のディスクストッパー３の使用形態を図５に示すが、本実施形態においては、外周縁側のみで、ディスクストッパー側面に粘着層３１が露出しないように粘着層側縁部３１ａがグリップ層３２によって覆われている。一方で、内周縁側では、粘着層の端部（特に側面）がグリップ層３２で覆われていない。このような形態であっても、ディスクストッパー側面に粘着層が露出しないように粘着層側縁部が粘着層以外の第２の層によって覆われている側、即ち外周側では、異物の付着防止効果が発揮される。即ち、ディスクストッパー側面に粘着層が露出するのを防止するのは、ディスクストッパーの外周側のみであっても良い。なお、本実施形態の内周側のような、粘着層端部が第２の層で完全には覆われていないような場合には、図５に示したように、ターンテーブルＴ’に段差を設けるなどして、ターンテーブルに貼着した状態では、ディスクストッパー側面の粘着層露出部分がターンテーブルと対向して外部に露出しないように構成することが好ましい。
【００４０】
本発明のディスクストッパーは、粘着層、グリップ層のほかに、第２実施形態で示した補強層や、緩衝層などの他の層を含ませることができる。緩衝層を設けたディスクストッパーはグリップ力が安定して得られる。
【００４１】
また、本発明を実施する際に、多数のディスクストッパーを形成する場合には、スクリーン印刷を活用して、剥離性の基材Ｐ上に多数のディスクストッパーを格子状に並べて同時に形成することが好ましく、製造効率が高められる。
【００４２】
なお、本発明のディスクストッパーの製造方法として、特に好ましい製造方法の形態例として、剥離性の基材Ｐ上にディスクストッパーを製造する方法を説明したが、本発明のディスクストッパーは、ターンテーブルやターンテーブルの構成部品上に直接形成することもできる。その場合は、例えばターンテーブルを基材として、ターンテーブル上に粘着層やグリップ層を直接形成していけばよい。
【産業上の利用可能性】
【００４３】
本発明のディスクストッパーは、ＣＤドライブ装置やＤＶＤドライブ装置といった高速回転する高精度のディスク装置に使用でき、産業上の利用価値が高い。
【符号の説明】
【００４４】
１      ディスクストッパー
１１        粘着層
１２        グリップ層
Ｔ      ターンテーブル
Ｄ      ディスクメディア
２      ディスクストッパー
２１        粘着層
２２        グリップ層
２３        補強層
３      ディスクストッパー
３１        粘着層
３２        グリップ層
【図１】
0005797576.tif 000002
【図２】
0005797576.tif 000003
【図３】
0005797576.tif 000004
【図４】
0005797576.tif 000005
【図５】
0005797576.tif 000006